(57)【要約】【課題】ユーザが画像形成装置を使用するときにトナー補給動作が実行されていて画像形成装置を使用できないという事態の発生を最小限とし、ユーザのトナー補給動作終了待ち時間の大幅な軽減を図る。【解決手段】トナー補給動作が実行中であり（Ｓ２）、コピーモードであるとき（Ｓ３）、エンジンユニットは操作部でスタートキーが押されているか否かを確認する（Ｓ４）。スタートキーが押されていない場合は引き続きトナー補給動作を実行するが、スタートキーが押された時点でエンジンユニットはトナー補給動作を強制終了させ（Ｓ５）、割り込み指令としてコピー動作を実行させる（Ｓ６）。一連のコピー動作が完了すると（Ｓ７）、トナー補給動作が再開され（Ｓ８）、トナー補給動作が完了した後に（Ｓ９）、画像形成装置は待機モードへと遷移する（Ｓ１０）。なお、ステップＳ３でコピーモードでなければ、他のモードの動作のサブルーチンに遷移する（Ｓ１１）。【選択図】図４
2007079163.tif 000002
【特許請求の範囲】
【請求項１】
現像容器にトナーを補給するトナー補給手段を有するトナー現像装置において、
前記トナー補給手段からの前記現像容器に対するトナー補給動作を強制的に終了させる制御手段を備えていることを特徴とするトナー現像装置。
【請求項２】
前記制御手段は、トナー補給動作中に当該トナー補給動作を強制的に終了し、現像動作を行わせることを特徴とする請求項１記載のトナー現像装置。
【請求項３】
請求項１記載のトナー現像装置を備えていることを特徴とする画像形成装置。
【請求項４】
前記制御手段は、操作部から指示入力があったときに前記トナー補給動作を強制的に終了させることを特徴とする請求項３記載の画像形成装置。
【請求項５】
前記制御手段は、外部入力手段から印刷実行命令を受信したときに前記トナー補給動作を強制的に終了させることを特徴とする請求項３記載の画像形成装置。
【請求項６】
原稿を自動的に給送する原稿自動搬送手段をさらに備え、
前記制御手段は、前記原稿自動搬送手段の原稿検知手段から原稿を検知した旨の信号の入力があったときに前記トナー補給動作を強制的に終了させることを特徴とする請求項３記載の画像形成装置。
【請求項７】
原稿を押さえる圧板をさらに備え、
前記制御手段は、前記圧板の開閉検知手段から開閉検知信号の入力があったときに前記トナー補給動作を強制的に終了させることを特徴とする請求項３記載の画像形成装置。
【請求項８】
前記制御手段は、現像装置を使用するジョブが終了した後、トナー補給動作を再開することを特徴とする請求項４ないし７のいずれか１項に記載の画像形成装置。
【発明の詳細な説明】
【技術分野】
【０００１】
本発明は電子写真方式の画像形成で使用されるトナー補給手段を有するトナー現像装置、このトナー現像装置を備えた複写機、プリンタ、ファクシミリ、デジタル複合機などの画像形成装置に関する。
【背景技術】
【０００２】
電子写真方式の画像形成装置では、トナーによって画像を形成することから、コピー中、プリントアウト中等に関係なく、トナーがある程度消費されるとトナーカートリッジから現像部にトナーを補給するトナー補給動作が実行される。このトナー補給が実行された後、どのタイミングでトナー補給を停止するかが問題となる。そこで、例えば特許文献１では、パッチ画像の濃度に基づいて行っている。すなわち、特許文献１には、感光体上の画像にトナーを付着させ、パッチ画像の濃度を検知し、検知した濃度が第１のレベルになったときに、トナー残量の不足状態としてトナー残量の不足状態としてトナーを補給する動作を指示し、トナーを補給した後、再度パッチ画像の濃度を検知し、検知した濃度が第２のレベルになったときに、トナー残量の不足状態の終了としてトナーを補給する動作の指示を解除し、上記第２のレベルを上記トナー濃度制御レベルに基づいて変更する発明が開示されている。
【特許文献１】特開平０９−０８０８９３号公報
【発明の開示】
【発明が解決しようとする課題】
【０００３】
ところで、前述のようにトナー残量が少なくなるとトナー補給が行われ、トナーが所定量補給されたときにトナー補給が停止されるような制御は、トナー残量や画像濃度（トナー濃度）を自動的に検知し、自動的に実行される。したがって、ユーザがコピーを実行し、あるいはプリントアウトしている際に、トナー残量不足となると、画像形成動作を中断してトナー補給動作が実施されることになる。そのため、急いでコピーを取ったりプリンアウトする必要があるときに、前記トナー補給のタイミングが重なると、コピーやプリントアウトができない状態となる。そうでないまでも、コピーやプリントアウトしようとする際、あるいはしている際にトナー補給のためにコピーやプリントアウトができなくなる事態は、ユーザにとって愉快ではない状況である。
【０００４】
本発明は、このような背景に鑑みてなされたもので、その目的は、コピーあるいはプリントアウト等のようにユーザが画像形成装置を使用するときにトナー補給動作が実行されていて画像形成装置を使用できないという事態の発生を最小限とし、ユーザのトナー補給動作終了待ち時間の大幅な軽減を図ることにある。
【課題を解決するための手段】
【０００５】
前記目的を達成するため、第１の手段は、現像容器にトナーを補給するトナー補給手段を有するトナー現像装置において、前記トナー補給手段からの前記現像容器に対するトナー補給動作を強制的に終了させる制御手段を備えていることを特徴とする。
【０００６】
第２の手段は、第１の手段において、前記制御手段は、トナー補給動作中に当該トナー補給動作を強制的に終了し、現像動作を行わせることを特徴とする。
【０００７】
第３の手段は、第１の手段に係るトナー現像装置を画像形成装置が備えていることを特徴とする。
【０００８】
第４の手段は、第３の手段において、前記制御手段は、操作部から指示入力があったときに前記トナー補給動作を強制的に終了させることを特徴とする。
【０００９】
第５の手段は、第３の手段において、前記制御手段は、外部入力手段から印刷実行命令を受信したときに前記トナー補給動作を強制的に終了させることを特徴とする。
【００１０】
第６の手段は、第３の手段において、原稿を自動的に給送する原稿自動搬送手段をさらに備え、前記制御手段は、前記原稿自動搬送手段の原稿検知手段から原稿を検知した旨の信号の入力があったときに前記トナー補給動作を強制的に終了させることを特徴とする。
【００１１】
第７の手段は、第３の手段において、原稿を押さえる圧板をさらに備え、前記制御手段は、前記圧板の開閉検知手段から開閉検知信号の入力があったときに前記トナー補給動作を強制的に終了させることを特徴とする。
【００１２】
第８の手段は、第４ないし第７のいずれかの手段において、前記制御手段は、現像装置を使用するジョブが終了した後、トナー補給動作を再開することを特徴とする。
【００１３】
なお、後述の実施形態において、現像容器は符号１１０に、トナー補給手段はトナーボトル１１１、撹拌パドル１１２及びモータ１１８に、制御手段はコントローラユニット４に、操作部は符号２に、外部入力手段は図示しないＰＣなどの外部情報処理装置に、原稿自動搬送手段はＡＤＦ３に、原稿検知手段は原稿検知センサ１１に、圧板は符号３ｂに、圧板の開閉検知手段は圧板開閉検知センサ１２にそれぞれ対応する。
【発明の効果】
【００１４】
本発明によれば、トナー補給動作時にジョブが入力されたときに強制的にトナー補給動作を終了させ、ジョブを実行させることが可能なので、ユーザが画像形成装置を使用するときにトナー補給動作が実行されていて画像形成装置を使用できないという事態の発生を最小限とし、ユーザのトナー補給動作終了待ち時間の大幅な軽減を図ることができる。
【発明を実施するための最良の形態】
【００１５】
以下、本発明の実施形態について図面を参照して説明する。
【００１６】
図１は本発明の実施形態に係る画像形成装置のシステム構成を示すブロック図である。同図において、画像形成装置１はコントローラユニット４、エンジンユニット５、イメージプロセッシングユニット（ＩＰＵ）６、スキャナユニット７及び書き込みユニット８からなり、スキャナユニットには自動原稿搬送装置（ＡＤＦ）３が接続され、コントローラユニット４には操作部２が接続されている。これらの接続にはバスや信号／電源線等が使用され、これらによって前記画像形成装置１とＡＤＦ３及び操作部２とはインターフェイス可能な状態にある。
【００１７】
コントローラユニット４は画像形成装置１の各部の諸動作を制御し、エンジンユニット５はセンサ等メカトロ部品を制御する。ＩＰＵ６は入力された画像情報を処理し、スキャナユニット７は圧板や自動原稿搬送装置（ＡＤＦ）３の開閉を検知するための圧板開閉センサ１２を備え、原稿を読み取るためのユニットである。なお、この画像形成装置１はここでは図示していないがＰＣからの画像情報の入力によりプリントアウトする機能（プリンタ機能）や、公衆回線を介して画像情報の送受信を行うファクシミリ機能を備えたデジタル複合機（ＭＦＰ−Multi Function Peripheral）である。そこで、操作部２には各機能の操作を切り替える機能キー９及びコピーを開始するためのスタートキー１０を備え、ＡＤＦ３には、原稿がセットされたことを検知する原稿検知センサ１１を備えている。
【００１８】
図２は図１における画像形成装置の操作部２の正面図である。同図において操作部２には、画面の明るさを調整するための画像コントラストつまみ１３、初期設定の操作やカウンタ表示、問合せ情報確認を行う「初期設定／カウンタ／問合せ情報」キー１４、エラーや機械の状態を表示する表示部１５、色の調整や登録を行うカラー調整／登録キー１６、カラー調整の参考とするカラーサークル１７、各操作をするためのキーやメッセージ等が表示される画面１８、設定内容を表示する設定確認キー１９、設定を登録したり呼び出したりするプログラムキー２０、設定内容を取り消すリセットキー２１、予熱状態←→解除を行う予熱キー２２、コピー中に割り込んで別の原稿をコピーする割り込みキー２３、主電源及び電源のＯＮ／ＯＦＦを表示する主電源、電源ランプ２４と電源のＯＮ／ＯＦＦを行う電源キー２５、１部だけコピーをして確認することができる試しコピーキー２６、コピーを開始するためのスタートキー１０、入力した数値を取り消したりコピーを中断するクリア／ストップキー２７、入力した数値を確定するエンターキー２８、コピー枚数などの数値を入力するテンキー２９、各種カラー機能を切り替えるカラー選択キー３０、各機能の操作を切り替える機能キー９、及び機能キー９で選択された機能のランプを表示させる機能別状態表示ランプ３１が設けられている。
【００１９】
＜作像部＞
図３は本実施形態に係る画像形成装置の作像部の概略構成を示す図である。同図において、作像部５ａは像但持体としてのドラム状の感光体１０１と、この感光体１０１の外周に沿って当該感光体１０１の外周面に対向して配置された帯電ユニット１０２、書き込みユニット８、現像ユニット１０４と、転写・分離ユニット１０５と、フォトセンサ１０８と、クリーニングユニット１０６と、除電ユニット１０７とからなっている。
【００２０】
帯電ユニット１０２は、感光体１０１を帯電する帯電手段としてのメインチャージとグリッドを備え、書き込みユニット８は、帯電された感光体１０１に画像情報に応じた光を照射していわゆる光書き込みを行い、静電潜像を形成する。現像ユニット１０４は、感光体１０１上に形成された静電潜像をトナー現像するものであるが、印加する現像電圧の可変機能を有し、２成分系現像剤で現像して顕像化する。転写・分離ユニット１０５は感光体上のトナー像を転写媒体としての転写紙に転写し、さらに、転写紙を感光体１から分離する機能を有する。クリーニングユニット１０６は転写紙に転写されず、感光体１０１上に残った転写残トナーを除去し、除電ユニット１０７は、次の帯電のために感光体上に残存する電荷を除去する機能をそれぞれ有する。フォトセンサ１０８は、転写・分離ユニット１０５の感光体１０１回転方向下流側に設けられ、感光体１０１上に形成された濃度検知のためのトナー像からなる検知パターンを読み取り、トナー濃度検知を行うためのものである。
【００２１】
現像ユニット１０４は、現像ローラ１０９とトナーボトル１１１とを備え、さらに、トナーボトル１１１から現像ローラ１０９には、第１及び第２の撹拌ローラ１１３、１１４が設けられ、それぞれ現像容器１１０内に収容されている。現像剤はトナー１１５とキャリア１１６とからなり、現像にはトナー１１５のみが消費される。現像剤は、トナーボトル１１１から供給され、第１及び第２の撹拌ローラ１１３、１１４によって撹拌され、摩擦により電位が付与されながら、現像ローラ１０９側に供給される。
【００２２】
このように構成された画像形成装置では、感光体１０１が矢印Ａ方向に回転すると、この感光体１０１を帯電する帯電ユニット１０２が放電を開始し、この感光体１０１の表面を画像領域の帯電電位まで帯電する。次いで、読み取り部（図示省略）で読み取られ、デジタル信号に変換された画像データに所定の画像処理が施され、光書き込み信号として出力される。書き込みユニット８は、前記出力された光書き込み信号に基づいてＬＥＤを変調し、感光体１０１表面に光書き込みを行う。感光体１０１の表面の画像領域には、前記光書き込み（露光）により、画像データに基づいた潜像が作成される。現像ローラ１０９は矢印Ｂ方向に回転し、感光体１０１上にトナーによる穂を形成し、現像ローラ１０９により２成分トナーで画像領域の潜像が顕像化される。この顕像化に際し、現像バイアスが現像ローラ１０９に印加される。前記画像領域で顕像化されたトナー画像は転写・分離ユニット１０５で転写紙に転写され、転写後、転写紙は感光体１表面から分離される。感光体１０１表面は、クリーニングユニット１０６及び除電ユニット１０７により残留トナーの清掃及び除電が行われ、次のコピーサイクルに備える。
【００２３】
現像ユニット１０４は、前にも触れたが、現像容器１１０の感光体１０１に向いた開口部に図示しない磁石を内蔵し、かつ図示しないモータで矢印方向に回転駆動される現像ローラ１０９、現像容器１１０の底部に並設された撹拌ローラ１１３，１１４、現像容器１１０の底部の壁面にトナー濃度センサとして設けられた透磁率センサ１１７を備えており、前記撹拌ローラ１１３，１１４でトナー１１５とキャリア１１６とからなる現像剤を混合撹拌しながら現像ローラ１０９上に補給すると共にトナー濃度センサ（透磁率センサ）１１７で現像剤のトナー濃度を検出している。トナーボトル１１１はモータ１１８により回転駆動される撹拌パドル１１２を備え、この撹拌パドル１１２はトナーの撹拌とともに現像容器１１０へのトナー排出（トナー補給）を行う機能を有する。前記モータ１１８はモータ駆動装置１１９によって駆動される。また、前述のように転写・分離ユニット１０５の感光体１回転方向下流側の感光体１０１表面に対向した位置には画像濃度を検出するためのフォトセンサ１０８が配されている。このフォトセンサ１０８は感光体１表面に向けて光を照射する発光素子と感光体１０１表面からの反射光を受光する光電変換素子とから構成されている。
【００２４】
前記透磁率センサ１１７及びフォトセンサ１０８はそれぞれ図示しないＡ／Ｄ変換器を介してコントローラユニット４のマイクロコンピュータのインターフェイス（Ｉ／Ｏ）１２０に接続されている。このマイクロコンピュータは主にマイクロプロセッサ（ＣＰＵ）１２１、読み出し専用メモリ（ＲＯＭ）１２２、読み出し書き込みメモリ（ＲＡＭ）１２３及びＩ／Ｏ１２０からなり、Ｉ／Ｏ１２０を介して撹拌パドル１１２を駆動するモータ１１８のモータ駆動装置１１９側に制御信号を出力するように構成されている。Ｉ／Ｏ１２０には、照明装置の原稿照射スタート位置に設けられた図示しないマイクロスイッチで１コピー動作が検出されデジタル信号として入力されている（プリンタとして使用する場合には、プリント開始信号が入力される）。ＲＡＭ１２３には、Ｉ／Ｏ１２０を介して入力された透磁率センサ１１７の出力値を一時格納させるレジスタなどの記憶部が設けられている。ＲＯＭ１２２には、トナー濃度制御のプログラムが記憶されている。
【００２５】
＜コピーモード＞
図４は本実施形態に係るコピーモード時のトナー補給動作の動作手順を示すフローチャートである。この動作手順では、エンジンユニット５は作像部５ａの現像ユニット４内のトナー濃度センサ１１７により現像剤のトナー濃度を検知し、トナー濃度が薄くなるとトナーボトル１１１から現像ユニット４にトナーを補給する（ステップＳ１）。トナー補給動作が実行中であり（ステップＳ２）、画像形成装置１がコピーモードであるとき、すなわち、機能キー９でコピー９ａが選択され、機能別状態表示ランプ３１の「コピー」が点灯しているときに（ステップＳ３）、エンジンユニット５は操作部２でスタートキー１０が押されているか否かを確認する（ステップＳ４）。スタートキー１０が押されていない場合は引き続きトナー補給動作を実行するが、スタートキー１０が押された時点でエンジンユニット５はトナー補給動作を強制終了させ（ステップＳ５）、割り込み指令としてコピー動作を実行させる（ステップＳ６）。一連のコピー動作が完了すると（ステップＳ７）、トナー補給動作が再開され（ステップＳ８）、トナー補給動作が完了した後に（ステップＳ９）、画像形成装置１は待機モードへと遷移する（ステップＳ１０）。なお、ステップＳ３でコピーモードでなければ、他のモードの動作のサブルーチンに遷移する（ステップＳ１１）。
【００２６】
以上の動作により、トナー補給動作中にコピーモードにおいてスタートキー１０が押されると、トナー補給動作を強制終了してコピー動作を実行することができるので、現像ユニット４がトナー補給動作実行中であってもユーザが待つことなくコピー動作を実行することができる。
【００２７】
＜プリンタモード＞
図５は本実施形態に係るプリンタモード時のトナー補給動作の動作手順を示すフローチャートである。この動作手順では、現像ユニット４がトナー補給動作実行中に（ステップＳ１２、ステップＳ１３−ＮＯ）、プリンタモードが設定された状態で（ステップＳ１４−ＹＥＳ）、ＬＡＮケーブル等の通信手段によるＰＣからのプリントジョブを画像形成装置１が受信したとする（ステップＳ１５）。このとき、画像形成装置１の機能キー９にはプリンタ９ｂが選択されており、機能別状態表示ランプ３１には「プリンタ」が点灯している（ステップ１５−ＹＥＳ）。トナー補給動作中にプリントジョブを受信した画像形成装置１は、エンジンユニット５によりトナー補給動作を強制終了させ（ステップＳ１６）、割り込み指令としてプリンタ動作を実行させる（ステップＳ１７）。一連のプリンタ動作が完了すると（ステップＳ１８）、トナー補給動作を再開し（ステップＳ１９）、トナー補給動作が完了した後に（ステップＳ１３，Ｓ２０）、画像形成装置１は待機モードへと遷移する（ステップＳ２１）。なお、ステップＳ１４でプリンタモードでなければ、他のモードの動作のサブルーチンに遷移する（ステップＳ２２）。
【００２８】
以上の動作により、トナー補給動作中にプリントジョブが実行されると、トナー補給動作を強制終了してプリントアウトを実行することができるので、画像形成装置１がトナー補給動作実行中であってもユーザが待つことなくプリントジョブを実行することができる。
【００２９】
＜原稿セット時の動作＞
図６はＡＤＦ３の原稿搬送口の入口近傍に原稿検知センサ１１が設けられている例を示す概略構成図である。また、図７は本実施形態における原稿セット時におけるトナー補給動作の動作手順を示すフローチャートである。この動作手順では、画像形成装置１がトナー補給動作実行中に（ステップＳ２３、ステップＳ２４−ＮＯ）、ユーザがＡＤＦ３の原稿搬送口３ａに原稿をセットすると、原稿検知センサ１１がＯＮして（ステップＳ２５−ＹＥＳ）画像形成装置１はトナー補給動作を強制終了させる（ステップＳ２６）。トナー補給動作が強制終了され、ユーザがコピー動作を実行すると、原稿搬送口３ａから原稿がなくなり原稿検知センサ１１はＯＦＦとなる（ステップＳ２７）。原稿がなくなり、コピー動作が完了すると（ステップＳ２８）、画像形成装置１はトナー補給動作を再開し（ステップＳ２９）、トナー補給動作が完了した後に（ステップＳ２４，Ｓ３０）、画像形成装置１は待機モードへと遷移する（ステップＳ３１）。
【００３０】
以上の動作により、トナー補給動作中にＡＤＦの原稿検知センサ１１がＯＮすると、トナー補給動作を強制終了するため、ユーザがコピー動作を実行するためにＡＤＦに原稿をセットするだけで、画像形成装置１がトナー補給動作実行中であってもコピー動作等のジョブを実行することができる。
【００３１】
＜圧板開閉時の動作＞
図８は圧板開閉検知センサ１２が圧板３ｂの揺動支点近傍に配置されたスキャナユニット７の要部を示す概略構成図である。圧板開閉検知センサ１２はフォトインタラプタによって構成され、圧板３ｂに付設された遮蔽板３ｃが圧板開閉検知センサ１２のギャップの光路を遮蔽し、あるいは開放して圧板３ｂの開閉状態を検知する。この実施形態の場合には、圧板開閉検知センサ１２は、前記光路を遮蔽（ＯＦＦ）したときに圧板３ｂは閉状態、開放（ＯＮ）したときに開状態と検知する。
【００３２】
このような圧板開閉検知センサ１２によって圧板の開閉状態を検知したときの動作手順を図９のフローチャートに示す。すなわち、現像ユニット４がトナー補給動作実行中（ステップＳ３２、ステップＳ３３−ＮＯ）にユーザがＡＤＦ３を開けて圧板開閉検知センサ１２がＯＮすると（ステップＳ３４−ＹＥＳ）、コントローラユニット４はトナー補給動作を強制終了させる（ステップＳ３５）。トナー補給動作が強制終了され、ユーザがコピー動作を実行して完了すると（ステップＳ３６）、コントローラユニット４はトナー補給動作を再開するための指令を出す（ステップＳ３７）。このとき、トナー補給動作を再開する前に、ユーザがコピー動作終了後に原稿をコンタクトガラスから除去するためにＡＤＦ３の圧板３ｂを開くと再度圧板開閉センサ１２がＯＮする。このときに再びトナー補給動作が強制終了しないように、例えば、本トナー補給動作強制終了フロー上では、コピー動作が一度終了してから一定時間は圧板開閉センサ１２の検知を無視するためタイマ等によりマスク設定を行う（ステップＳ３８）。トナー補給動作再開指令により現像ユニット４はトナー補給動作を再開し、トナー補給動作が完了した後に（ステップＳ３３，３９）、待機モードへと遷移する（ステップＳ４０）。
【００３３】
以上の動作により、トナー補給動作実行中にスキャナユニット７の圧板開閉センサ１２がＯＮすると、トナー補給動作を強制終了するため、ユーザがコピー動作等を実行するためにＡＤＦ３又は圧板３ｂを開くだけで、現像ユニット４がトナー補給動作実行中であってもコピー動作等のジョブを実行することができる。また、スキャナユニット７のコンタクトガラスから原稿を取り除くためにＡＤＦ３又は圧３ａ板を開き、トナー補給動作強制終了後に圧板開閉センサ１２がＯＮしても、圧板開閉センサマスク設定により、現像ユニット４はジョブ実行後にトナー補給動作を再度強制終了することを回避できる。
【００３４】
以上のように、本実施形態に係る画像形成装置においては、トナー補給動作中に画像形成動作を指示されると、トナー補給動作を強制終了して画像形成動作を実行することができるので、画像形成装置がトナー補給動作実行中であってもユーザが待つことなく画像形成動作を実行することができる。
【００３５】
また、トナー補給動作実行中にユーザが割り込み的にトナー補給動作を強制終了させてコピー及びプリントアウトを実施した後、ユーザがジョブを終了すると、自動的にトナー補給動作を再開することができるので、トナー補給動作を強制終了させても現像ユニット内のトナーを確実に補給することができる。
【図面の簡単な説明】
【００３６】
【図１】本発明の実施形態に係る画像形成装置のシステム構成を示すブロック図である。
【図２】図１における画像形成装置の操作部の正面図である。
【図３】本発明の実施形態に係る画像形成装置の作像部の概略構成を示す図である。
【図４】本発明の実施形態に係るコピーモード時のトナー補給動作の動作手順を示すフローチャートである。
【図５】本発明の実施形態に係るプリンタモード時のトナー補給動作の動作手順を示すフローチャートである。
【図６】本発明の実施形態に係るＡＤＦの原稿搬送口の入口近傍に原稿検知センサが設けられている例を示す概略構成図である。
【図７】本発明の実施形態における原稿セット時におけるトナー補給動作の動作手順を示すフローチャートである。
【図８】本発明の圧板開閉検知センサが圧板の揺動支点近傍に配置されたスキャナユニットの要部を示す概略構成図である。
【図９】本発明の圧板開閉検知センサによって圧板の開閉状態を検知したときの動作手順を示すフローチャートである。
【符号の説明】
【００３７】
１  画像形成装置
２  操作部
３  ＡＤＦ
４  コントローラユニット
５  エンジンユニット
６  ＩＰＵ
７  スキャナユニット
８  書き込みユニット
１１  原稿検知センサ
１２  圧板開閉センサ
１１０  現像容器
１１１  トナーボトル
１１２  撹拌パドル
１１８  モータ
【図１】
2007079163.tif 000003
【図２】
2007079163.tif 000004
【図３】
2007079163.tif 000005
【図４】
2007079163.tif 000006
【図５】
2007079163.tif 000007
【図６】
2007079163.tif 000008
【図７】
2007079163.tif 000009
【図８】
2007079163.tif 000010
【図９】
2007079163.tif 000011